(57)【要約】本発明は、移動通信装置において、同時ユニキャスト及びブロードキャスト送受信に起因する衝突を最小限に抑えるための方法及び装置を提供する。前記移動通信装置は、ブロードキャスト／マルチキャスト／ユニキャストサービスの受信のための技術を選択し、他のサービスの受信を妨害し得る特定の周波数帯域で１つ又は複数の特定の技術の利用を抑制する。上記方法は、第１機能をアクティブにする段階と、アクティブになると前記第１機能と衝突する少なくとも１つの第２機能を判断する段階と、前記第１機能もしくは前記少なくとも１つの第２機能を第３機能で代替するか、又は前記第１機能を継続して実行するために、前記少なくとも１つの第２機能がアクティブになると前記第１機能と衝突するという指示をネットワークに提供する段階とを含む。
2010505329.tif 000002
【特許請求の範囲】
【請求項１】
第１機能をアクティブにする段階と、
アクティブになると前記第１機能と衝突する少なくとも１つの第２機能を判断する段階と、
前記第１機能もしくは前記少なくとも１つの第２機能を第３機能で代替するか、又は前記第１機能を継続して実行するために、前記少なくとも１つの第２機能がアクティブになると前記第１機能と衝突するという指示をネットワークに提供する段階とを含み、
前記第１機能及び前記少なくとも１つの第２機能が、異なる周波数帯域と異なる技術の少なくとも一方を利用することを特徴とする移動端末のネットワークとの通信方法。
【請求項２】
現在実行されている機能を非アクティブにする段階と、
前記第３機能を前記第１機能もしくは前記少なくとも１つの第２機能で代替するか、又は前記少なくとも１つの第２機能がアクティブになっても前記第１機能と衝突しないという指示を前記ネットワークに提供する段階と
をさらに含むことを特徴とする請求項１に記載の移動端末のネットワークとの通信方法。
【請求項３】
前記第３機能を前記第１機能もしくは前記少なくとも１つの第２機能で代替する段階は、
前記機能が変更されるように、少なくとも１つのパラメータを前記ネットワークに送信する段階を含むことを特徴とする請求項２に記載の移動端末のネットワークとの通信方法。
【請求項４】
前記少なくとも１つの第２機能のアクティブ化を禁止する段階をさらに含むことを特徴とする請求項１に記載の移動端末のネットワークとの通信方法。
【請求項５】
前記少なくとも１つの第２機能のアクティブ化を禁止する段階は、
前記少なくとも１つの第２機能を利用できないという指示を前記ネットワークに提供する段階を含むことを特徴とする請求項４に記載の移動端末のネットワークとの通信方法。
【請求項６】
現在実行されている機能を非アクティブにする段階と、
前記少なくとも１つの第２機能のアクティブ化をもはや禁止しない段階と
をさらに含むことを特徴とする請求項４に記載の移動端末のネットワークとの通信方法。
【請求項７】
前記少なくとも１つの第２機能のアクティブ化をもはや禁止しない段階は、
前記少なくとも１つの第２機能を利用できるという指示を前記ネットワークに提供する段階を含むことを特徴とする請求項６に記載の移動端末のネットワークとの通信方法。
【請求項８】
前記第１機能もしくは前記少なくとも１つの第２機能を第３機能で代替する段階、並びに前記少なくとも１つの第２機能のアクティブ化を禁止する段階は、
予め定められた規則を条件とすることを特徴とする請求項４に記載の移動端末のネットワークとの通信方法。
【請求項９】
前記予め定められた規則が、前記ネットワークから受信した情報によって実現されることを特徴とする請求項８に記載の移動端末のネットワークとの通信方法。
【請求項１０】
前記第１機能もしくは前記少なくとも１つの第２機能を第３機能で代替する段階は、
少なくとも１つのパラメータを前記ネットワークに送信する段階を含み、
前記少なくとも１つのパラメータは、特に前記機能が変更されるようにするためのものであることを特徴とする請求項１に記載の移動端末のネットワークとの通信方法。
【請求項１１】
前記判断された衝突に関する情報を前記ネットワークに提供する段階をさらに含むことを特徴とする請求項１に記載の移動端末のネットワークとの通信方法。
【請求項１２】
前記ネットワークとの通信が成立すると、衝突する機能の指示を前記ネットワークに提供する段階をさらに含むことを特徴とする請求項１に記載の移動端末のネットワークとの通信方法。
【請求項１３】
少なくとも１つの機能がアクティブになると他の機能と衝突するという指示を移動端末から受信する段階と、
前記少なくとも１つの機能のアクティブ化を禁止する段階とを含み、
前記第１機能及び前記少なくとも１つの第２機能が、異なる周波数帯域と異なる技術の少なくとも一方を利用することを特徴とするネットワークの移動端末との通信方法。
【請求項１４】
判断された少なくとも２つのアクティブになった機能間の衝突に関する情報を前記移動端末から受信する段階と、
前記少なくとも２つのアクティブになった機能の１つを実行するために、前記移動端末が異なる周波数帯域と異なる技術のどちらかを利用するように命令する段階と
をさらに含むことを特徴とする請求項１３に記載のネットワークの移動端末との通信方法。
【請求項１５】
移動端末が実行する機能に関する情報をネットワークとやりとりする送受信部と、
ユーザインタフェース情報を表示するディスプレイ部と、
ユーザからの入力を受信する入力部と、
第１機能をアクティブにし、アクティブになると前記第１機能と衝突する少なくとも１つの第２機能を判断し、前記第１機能もしくは前記少なくとも１つの第２機能を第３機能で代替するか、又は前記第１機能を継続して実行するために、前記少なくとも１つの第２機能がアクティブになると前記第１機能と衝突するという指示を前記ネットワークに提供する処理部とを含み、
前記第１機能及び前記少なくとも１つの第２機能が、異なる周波数帯域と異なる技術の少なくとも一方を利用することを特徴とする通信サービスを提供する移動端末。
【請求項１６】
前記処理部は、
現在実行されている機能を非アクティブにし、
前記第３機能を前記第１機能もしくは前記少なくとも１つの第２機能で代替するか、又は前記少なくとも１つの第２機能がアクティブになっても前記第１機能と衝突しないという指示を前記ネットワークに提供することを特徴とする請求項１５に記載の通信サービスを提供する移動端末。
【請求項１７】
前記処理部は、
前記機能が変更されるように少なくとも１つのパラメータを前記ネットワークに送信するために、前記送受信部を制御することにより、前記第３機能を前記第１機能もしくは前記少なくとも１つの第２機能で代替することを特徴とする請求項１６に記載の通信サービスを提供する移動端末。
【請求項１８】
前記処理部は、
前記少なくとも１つの第２機能のアクティブ化を禁止することを特徴とする請求項１５に記載の通信サービスを提供する移動端末。
【請求項１９】
前記処理部は、
前記少なくとも１つの第２機能を利用できないという指示を前記ネットワークに送信するために、前記送受信部を制御することにより、前記少なくとも１つの第２機能のアクティブ化を禁止することを特徴とする請求項１８に記載の通信サービスを提供する移動端末。
【請求項２０】
前記処理部は、
現在実行されている機能を非アクティブにし、
前記少なくとも１つの第２機能のアクティブ化をもはや禁止しないようにすることを特徴とする請求項１８に記載の通信サービスを提供する移動端末。
【請求項２１】
前記処理部は、
前記少なくとも１つの第２機能を利用できるという指示を前記ネットワークに送信するために、前記送受信部を制御することにより、前記少なくとも１つの第２機能のアクティブ化をもはや禁止しないようにすることを特徴とする請求項２０に記載の通信サービスを提供する移動端末。
【請求項２２】
前記処理部は、
前記第１機能もしくは前記少なくとも１つの第２機能を前記第３機能で代替し、予め定められた規則によって前記少なくとも１つの第２機能のアクティブ化を禁止することを特徴とする請求項１８に記載の通信サービスを提供する移動端末。
【請求項２３】
前記処理部は、
前記ネットワークから受信した情報によって前記予め定められた規則を実現することを特徴とする請求項２２に記載の通信サービスを提供する移動端末。
【請求項２４】
前記処理部は、
特に前記機能が変更されるようにするための少なくとも１つのパラメータを前記ネットワークに送信するために、前記送受信部を制御することにより、前記第１機能もしくは前記少なくとも１つの第２機能を前記第３機能で代替することを特徴とする請求項１５に記載の通信サービスを提供する移動端末。
【請求項２５】
前記処理部は、
前記判断された衝突に関する情報を前記ネットワークに送信するために、前記送受信部を制御することを特徴とする請求項１５に記載の通信サービスを提供する移動端末。
【請求項２６】
前記処理部は、
前記ネットワークとの通信が成立すると、衝突する機能の指示を前記ネットワークに送信するために、前記送受信部を制御することを特徴とする請求項１５に記載の通信サービスを提供する移動端末。
【請求項２７】
少なくとも１つの機能がアクティブになると他の機能と衝突するという指示を移動端末から受信するレシーバと、
前記少なくとも１つの機能のアクティブ化を禁止する制御部とを含み、
前記第１機能及び前記少なくとも１つの第２機能が、異なる周波数帯域と異なる技術の少なくとも一方を利用することを特徴とする移動端末と通信するネットワーク。
【請求項２８】
前記レシーバは、判断された少なくとも２つのアクティブになった機能間の衝突に関する情報を前記移動端末から受信し、
前記制御部は、前記少なくとも２つのアクティブになった機能の１つを実行するために、前記移動端末が異なる周波数帯域と異なる技術のどちらかを利用するように命令することを特徴とする請求項２７に記載の移動端末と通信するネットワーク。
【発明の詳細な説明】
【技術分野】
【０００１】
本願は、２００６年１０月２７日に出願された米国仮出願第６０／８６３，３２１号の優先権を主張するものであり、その全ての内容は参照によりここに援用される。
【０００２】
本発明は、同時ユニキャスト（simultaneous unicast）送受信を行う移動通信装置に関し、特に、同時ユニキャスト及びブロードキャスト送受信に起因する衝突を最小限に抑えることに関する。
【発明の概要】
【課題を解決するための手段】
【０００３】
ＵＭＴＳ（UniversalMobile Telecommunications System）は、欧州標準であるＧＳＭ（Global System for Mobilecommunications）から進化した欧州型第３世代ＩＭＴ−２０００移動通信システムである。ＵＭＴＳは、ＧＳＭコアネットワークとＷ−ＣＤＭＡ（WidebandCode Division Multiple Access）無線接続技術に基づいて向上した移動通信サービスを提供することを目的とする。
【０００４】
１９９８年１２月、ヨーロッパのＥＴＳＩ、日本のＡＲＩＢ／ＴＴＣ、米国のＴ１、及び韓国のＴＴＡは３ＧＰＰ（Third Generation Partnership Project）を構成した。３ＧＰＰはＵＭＴＳ技術の詳細仕様を作成する。
【０００５】
ＵＭＴＳの迅速で効果的な技術開発及び標準化を達成するために、３ＧＰＰ内には、ネットワーク構成要素の独立性とこれらの動作を考慮して、５つの技術仕様グループ（Technical Specification Groups; TSG）が作成された。各ＴＳＧは、関連する領域内で標準仕様を開発、承認、及び管理する。そのうち、無線アクセスネットワーク（RadioAccess Network; RAN）グループ（ＴＳＧ−ＲＡＮ）は、ＵＭＴＳにおいてＷ−ＣＤＭＡアクセス技術をサポートするための新しい無線アクセスネットワークであるＵＴＲＡＮ（UMTSTerrestrial Radio Access Network）の機能、要求事項、及びインタフェースの標準を開発する。
【０００６】
図１はＵＭＴＳネットワークの概要を示している。前記ＵＭＴＳネットワークは、移動端末又はユーザ装置（ＵＥ）１、ＵＴＲＡＮ２、及びコアネットワーク（ＣＮ）３を含む。
【０００７】
ＵＴＲＡＮ２は、Ｉｕｂインタフェースで接続される複数の無線ネットワーク制御装置（Radio Network Controller; RNC）４とＮｏｄｅ Ｂ５とから構成される。各ＲＮＣ４は複数のＮｏｄｅ Ｂ５を制御する。各ＮｏｄｅＢ５は１つ又は複数のセルを制御し、１つのセルは所定の周波数で所定の地理的エリアをカバーする。
【０００８】
各ＲＮＣ４は、Ｉｕインタフェースを介して、ＣＮ３のＭＳＣ（Mobile Switching Center）６エンティティ及びＳＧＳＮ（Serving GPRS(General PacketRadio Service) Support Node）７エンティティに接続される。ＲＮＣ４は、Ｉｕｒインタフェースを介して他のＲＮＣに接続することもできる。ＲＮＣ４は、無線リソースの割当及び管理を担当し、ＣＮ３に対するアクセスポイントの役割を果たす。
【０００９】
Ｎｏｄｅ Ｂ５は、アップリンクでＵＥ１の物理層により送信された情報を受信し、ダウンリンクでＵＥ１にデータを送信する。ＮｏｄｅＢ５は、ＵＥ１に対するＵＴＲＡＮ２のアクセスポイントの役割を果たす。
【００１０】
ＳＧＳＮ７は、Ｇｆインタフェースを介してＥＩＲ（Equipment Identity Register）８に、ＧＳインタフェースを介してＭＳＣ６に、ＧＮインタフェースを介してＧＧＳＮ（GatewayGPRS Support Node）９に、並びにＧｒインタフェースを介してＨＳＳ（Home Subscriber Server）１０に接続される。
【００１１】
ＥＩＲ８は、ネットワークで利用できるＵＥ１のリストをホストする。ＥＩＲ８は、ネットワークで利用できないＵＥ１のリストをもホストする。
【００１２】
回線交換（CircuitSwitched; CS）サービスのための接続を制御するＭＳＣ６は、ＮＢインタフェースを介してＭＧＷ（Media Gateway）１１に、Ｆインタフェースを介してＥＩＲ８に、並びにＤインタフェースを介してＨＳＳ１０に接続される。
【００１３】
ＭＧＷ１１は、Ｃインタフェースを介してＨＳＳ１０に接続され、ＰＳＴＮ（Public Switched Telephone Network）にも接続される。ＭＧＷ１１は、前記ＰＳＴＮと前記接続されたＲＡＮ間のコーデックの適応を可能にする。
【００１４】
ＧＧＳＮ９は、ＧＣインタフェースを介してＨＳＳ１０に接続され、ＧＩインタフェースを介してインターネットに接続される。ＧＧＳＮ９は、様々な無線アクセスベアラ（Radio Access Bearer; RAB）へのデータフローのルーティング、課金、及び分離の責任を負う。ＨＳＳ１０はユーザの加入データを処理する。
【００１５】
ＵＴＲＡＮ２は、ＵＥ１とＣＮ３間の通信のためのＲＡＢを構成して維持する。ＣＮ３は、ＲＡＢにエンドツーエンドサービス品質（Quality of Service; QoS）要求事項を要求し、前記ＲＡＢは、前記ＣＮが設定したＱｏＳ要求事項をサポートする。従って、ＵＴＲＡＮ２は前記ＲＡＢを構成して維持することで前記エンドツーエンドＱｏＳ要求事項を満たすことができる。
【００１６】
特定のＵＥ１に提供されるサービスは、大きく回線交換（ＣＳ）サービスとパケット交換（Packet Switched; PS）サービスとに分けられる。例えば、一般的な音声対話サービスは回線交換サービスであり、インターネット接続によるウェブブラウジングサービスはパケット交換サービスである。
【００１７】
前記回線交換サービスをサポートする場合、ＲＮＣ４は、ＣＮ３のＭＳＣ６に接続され、前記ＭＳＣは、他のネットワークとの接続を管理するＧＭＳＣ（Gateway Mobile Switching Center）に接続される。前記パケット交換サービスをサポートする場合、ＲＮＣ４は、ＣＮ３のＳＧＳＮ７及びＧＧＳＮ９に接続される。
【００１８】
ＳＧＳＮ７は、ＲＮＣ４とのパケット通信をサポートし、ＧＧＳＮ９は、インターネットなどの他のパケット交換ネットワークとの接続を管理する。
【００１９】
図２は３ＧＰＰ無線アクセスネットワークの標準に準拠したＵＥ１とＵＴＲＡＮ２間の無線インタフェースプロトコルの構造を示している。図２に示すように、前記無線インタフェースプロトコルは、物理層、データリンク層、及びネットワーク層からなる垂直層、並びにユーザデータを伝送するためのユーザプレーン（U-plane）、及び制御情報を伝送するための制御プレーン（C-plane）からなる水平プレーンを有する。前記プロトコル層は、ＯＳＩ（OpenSystem Interconnection）参照モデルの下位３層に基づいて、第１層（Ｌ１）、第２層（Ｌ２）、及び第３層（Ｌ３）に区分することができる。
【００２０】
前記ユーザプレーンは、音声やＩＰ（Internet Protocol）パケットなどのユーザのトラフィック情報を管理する領域であり、前記制御プレーンは、ネットワークのインタフェース、呼の維持及び管理などに関する制御情報を管理する領域である。
【００２１】
前記第１層（Ｌ１）又は物理層は、多様な無線伝送技術により上位層に情報伝送サービス（Information Transfer Service）を提供する。前記物理層は、トランスポートチャネルを介して上位層である媒体アクセス制御（MediumAccess Control; MAC）層に接続される。前記ＭＡＣ層と前記物理層とはトランスポートチャネルでデータを送受信する。
【００２２】
前記第２層（Ｌ２）は、ＭＡＣ層、無線リンク制御（Radio Link Control; RLC）層、ブロードキャスト／マルチキャスト制御（Broadcast/MulticastControl; BMC）層、及びパケットデータコンバージェンスプロトコル（Packet Data Convergence Protocol; PDCP）層を含む。前記ＭＡＣ層は、論理チャネルとトランスポートチャネル間のマッピングを担当し、無線リソースの割当及び再割当のためにＭＡＣパラメータの割当を提供する。前記ＭＡＣ層は、論理チャネルを介して上位層であるＲＬＣ層に接続される。
【００２３】
伝送される情報の種類によって様々な論理チャネルが提供される。一般に、制御プレーンの情報を伝送する場合は制御チャネルが使用され、ユーザプレーンの情報を伝送する場合はトラフィックチャネルが使用される。論理チャネルは、共有するか否かによって共通チャネル又は専用チャネルになる。
【００２４】
図３は様々な論理チャネルを示している。論理チャネルは、ＤＴＣＨ（Dedicated Traffic Channel）、ＤＣＣＨ（Dedicated Control Channel）、ＣＴＣＨ（CommonTraffic Channel）、ＣＣＣＨ（Common Control Channel）、ＢＣＣＨ（Broadcast Control Channel）、並びにＰＣＣＨ（PagingControl Channel）もしくはＳＣＣＨ（Shared Control Channel）を含み、さらに他のチャネルをも含む。前記ＢＣＣＨは、システムにアクセスするためにＵＥ１が利用した情報を含む情報を提供する。前記ＰＣＣＨは、ＵＥ１にアクセスするためにＵＴＲＡＮ２が使用する。
【００２５】
ＭＢＭＳ（MultimediaBroadcast/Multicast Service）のために、ＭＢＭＳ標準にトラフィックチャネル及び制御チャネルがさらに取り入れられる。ＭＣＣＨ（MBMSpoint-to-multipoint Control Channel）を使用してＭＢＭＳ制御情報を伝送し、ＭＴＣＨ（MBMS point-to-multipointTraffic Channel）を使用してＭＢＭＳサービスデータを伝送する。ＭＳＣＨ（MBMS Scheduling Channel）を使用してスケジューリング情報を伝送する。
【００２６】
ＭＡＣ層は、トランスポートチャネルを介して物理層に接続され、管理されるトランスポートチャネルのタイプによってＭＡＣ−ｂサブレイヤ、ＭＡＣ−ｄサブレイヤ、ＭＡＣ−ｃ／ｓｈサブレイヤ、ＭＡＣ−ｈｓサブレイヤ、及びＭＡＣ−ｍサブレイヤに分けることができる。
【００２７】
前記ＭＡＣ−ｂサブレイヤは、システム情報のブロードキャストを担当するトランスポートチャネルであるＢＣＨ（Broadcast Channel）を管理する。前記ＭＡＣ−ｃ／ｓｈサブレイヤは、複数のＵＥ１が共有するＦＡＣＨ（ForwardAccess Channel）もしくはＤＳＣＨ（Downlink Shared Channel）などの共通トランスポートチャネル、又はアップリンクではＲＡＣＨ（RandomAccess Channel）を管理する。前記ＭＡＣ−ｍサブレイヤは、ＭＢＭＳデータを処理する。
【００２８】
図４はＵＥ１の観点から論理チャネルとトランスポートチャネル間の可能なマッピングを示し、図５はＵＴＲＡＮ２の観点から論理チャネルとトランスポートチャネル間の可能なマッピングを示している。
【００２９】
前記ＭＡＣ−ｄサブレイヤは、特定のＵＥ１のための専用トランスポートチャネルであるＤＣＨ（Dedicated Channel）を管理する。前記ＭＡＣ−ｄサブレイヤは、該当ＵＥ１を管理するＳＲＮＣ（Serving RadioNetwork Controller）に位置する。また、１つのＭＡＣ−ｄサブレイヤは各ＵＥ１内に存在する。
【００３０】
ＲＬＣ動作モードに応じて、ＲＬＣ層は、信頼性のあるデータ伝送をサポートし、上位層から伝送された複数のＲＬＣサービスデータユニット（ＲＬＣＳＤＵ）に対する分割及び接続機能を実行する。ＲＬＣ層は、上位層から前記ＲＬＣ ＳＤＵを受信すると、処理容量を考慮して適当な方式で各ＲＬＣ ＳＤＵのサイズを調節して、ヘッダ情報が付加されたデータユニットを生成する。前記データユニット又はプロトコルデータユニット（ＰＤＵ）は、論理チャネルを介してＭＡＣ層に伝送される。前記ＲＬＣ層は、前記ＲＬＣＳＤＵ及び／又はＲＬＣ ＰＤＵを保存するためのＲＬＣバッファを含む。
【００３１】
ＢＭＣ層は、ＣＮ３から受信したセルブロードキャスト（Cell Broadcast; CB）メッセージをスケジューリングし、前記ＣＢメッセージを特定のセル又はそのセルに位置するＵＥ１にブロードキャストする。
【００３２】
ＲＬＣ層の上位層であるＰＤＣＰ層は、ＩＰｖ４やＩＰｖ６などのネットワークプロトコルデータを相対的に帯域幅の小さい無線インタフェースに効果的に伝送するのに使用される。これを達成するために、ＰＤＣＰ層は、有線ネットワークで使用された不要な制御情報を減らすが、このような機能をヘッダ圧縮という。
【００３３】
無線リソース制御（Radio Resource Control; RRC）層は、前記第３層（Ｌ３）の最下位に位置する層であり、制御プレーンでのみ定義される。前記ＲＲＣ層は、無線ベアラ（ＲＢ）の設定、再設定、及び解除又は取消に関するトランスポートチャネル及び物理チャネルを制御する。さらに、前記ＲＲＣは、前記ＲＡＮ内でのユーザ移動性、及び位置サービスなどのさらなるサービスを担当する。
【００３４】
前記ＲＢとは、ＵＥ１とＵＴＲＡＮ２間のデータ伝送のために前記第２層（Ｌ２）が提供するサービスを意味する。一般に、ＲＢの設定とは、特定のデータサービスを提供するために必要なプロトコル層及びチャネルの特性を規定し、詳細なパラメータ及び動作方法をそれぞれ設定する過程を意味する。
【００３５】
所定のＵＥのための無線ベアラとトランスポートチャネル間のマッピングの様々な可能性が常に成立するわけではない。ＵＥ１／ＵＴＲＡＮ２は、ＵＥの状態やＵＥ／ＵＴＲＡＮが現在行っている手順に応じて可能なマッピングを推論する。
【００３６】
様々なトランスポートチャネルが様々な物理チャネルにマッピングされる。物理チャネルの設定は、ＲＮＣ４とＵＥ１間のＲＲＣシグナリング交換により行われる。
【００３７】
ＲＬＣ層は、ＲＮＣ４論理チャネルとＵＥ１間で交換されたデータを制御するために利用されるレイヤ２プロトコルである。前記ＲＬＣ層は、現在トランスペアレントモード（Transparent Mode）、無応答モード（Unacknowledged Mode）、及び応答モード（AcknowledgedMode）の３つの伝送モードで構成することができる。前記伝送モードによって利用可能な機能が異なる。
【００３８】
応答モードと無応答モードにおいて、ＳＤＵは無線インタフェース上で伝送のために使用されるより小さいＰＤＵに分けることができる。トランスミッタ側はＳＤＵをＰＤＵに分離し、レシーバ側は前記ＳＤＵを再構成するためにＰＤＵに追加された制御情報に基づいて前記ＰＤＵを再組立する。前記ＰＤＵに追加された制御情報は、例えば損失したＰＤＵの検出を可能にするＰＤＵシーケンス番号、又はＲＬＣＰＤＵ内のＳＤＵの開始（beginning）もしくは終了（end）を示す長さインジケータ（Length Indicator;LI）を含む。
【００３９】
無応答モードにおいて、前記レシーバは正確に受信したＰＤＵの確認を前記トランスミッタに送信しない。前記レシーバ側は、単にＰＤＵに含まれるシグナリング情報に基づいてＰＤＵをＳＤＵに再組立し、完成したＳＤＵを上位層に伝達する。
【００４０】
応答モードにおいて、前記レシーバは正確に受信したＰＤＵの確認を送信する。前記トランスミッタは、紛失したＰＤＵの再伝送を開始するために、このような確認を利用する。前記確認は特定の条件下で伝送される。
【００４１】
レシーバにより受信されたＰＤＵの確認の伝送を開始するための様々なメカニズムがある。アクティブになったメカニズムは、標準に定義され、かつ／又はＲＲＣシグナリングにより構成される。
【００４２】
状態ＰＤＵ（statusPDU）の伝送のためのメカニズムの一例として、１ずつ増加する直近に受信されたシーケンス番号に該当しないシーケンス番号を有するＰＤＵを受信するか、又は前記レシーバが確認もしくは「状態」が送信されるべきであるというＲＬＣ制御情報での指示をトランスミッタから受信する場合がある。状態ＰＤＵを伝送するための前記トランスミッタの指示を「ポーリング」という。
【００４３】
前記トランスミッタがポーリングビットを送信した後、所定時間内に状態リポートが全く受信されない場合のためのメカニズムがＵＭＴＳ標準に定義されている。前記メカニズムは、前記ポーリングインジケータを含むＰＤＵの前記トランスミッタによる再伝送を開始させる。このようなメカニズムを「タイマポール（timer poll）」という。
【００４４】
ＲＲＣモードは、ＵＥ１のＲＲＣとＵＴＲＡＮ２のＲＲＣ間に論理接続が存在するか否かに関する。接続が存在する場合、ＵＥ１はＲＲＣ接続モードであり、接続が存在しない場合、ＵＥ１はアイドルモードである。
【００４５】
ＲＲＣ接続モードにあるＵＥに対してＲＲＣ接続が存在するため、ＵＴＲＡＮ２は、セル単位内に特定のＵＥ１が存在するか否かを判断することができる。例えば、ＵＴＲＡＮ２は、ＲＲＣ接続モードのＵＥ１がどのセルもしくはセルのセットに存在するか、並びにＵＥ１がどの物理チャネルをリッスンしているかを判断できるので、ＵＥ１を効果的に制御することができる。
【００４６】
一方、ＵＴＲＡＮ２は、アイドルモードにあるＵＥ１が存在するか否かを判断することはできない。アイドルモードのＵＥ１が存在するか否かは、ロケーションやルーティングエリアのようにセルより大きい地域内で、ＣＮ３によってのみ判断される。従って、アイドルモードのＵＥ１が存在するか否かは、広い地域内で判断され、音声やデータのような移動通信サービスを受信するためには、アイドルモードのＵＥはＲＲＣ接続モードに移行又は変更しなければならない。モード及び状態間の可能な変化についての説明は図６に示す通りである。
【００４７】
ＲＲＣ接続モードにあるＵＥ１は、ＣＥＬＬ＿ＦＡＣＨ状態、ＣＥＬＬ＿ＰＣＨ状態、ＣＥＬＬ＿ＤＣＨ状態、又はＵＲＡ＿ＰＣＨ状態のように様々な状態にある。他の状態も考えられる。前記状態によって、ＵＥ１は異なる動作を行い、異なるチャネルをリッスンする。
【００４８】
ＣＥＬＬ＿ＤＣＨ状態のＵＥ１は、様々なチャネルのうちＤＣＨタイプのトランスポートチャネルをリッスンするであろう。ＤＣＨタイプのトランスポートチャネルはＤＴＣＨ及びＤＣＣＨトランスポートチャネルを含み、これは所定のＤＰＣＨ、ＤＰＤＳＣＨ、又は他の物理チャネルにマッピングできるチャネルである。ＣＥＬＬ＿ＦＡＣＨ状態のＵＥ１は、特定のＳ−ＣＣＰＣＨにマッピングされるいくつかのＦＡＣＨトランスポートチャネルをリッスンするであろう。ＰＣＨ状態のＵＥ１は、特定のＳ−ＣＣＰＣＨ物理チャネルにマッピングされるＰＣＨチャネル及びＰＩＣＨチャネルをリッスンするであろう。
【００４９】
主なシステム情報は、Ｐ−ＣＣＰＣＨ（Primary Common Control Physical Channel）にマッピングされるＢＣＣＨ論理チャネルで伝送される。特定のシステム情報ブロック（SystemInformation Block; SIB）はＦＡＣＨチャネルで伝送される。前記システム情報がＦＡＣＨチャネルで伝送される場合、ＵＥ１は前記Ｐ−ＣＣＰＣＨで受信されるＢＣＣＨ又は専用チャネルで前記ＦＡＣＨの構成（configuration）を受信する。
【００５０】
前記システム情報がＢＣＣＨで、例えばＰ−ＣＣＰＣＨを介して伝送される場合、ＳＦＮ（System Frame Number）が各フレームで又は２フレームのセットで伝送される。前記ＳＦＮは、ＵＥ１とＮｏｄｅ Ｂ５間で同一のタイミング基準（timingreference）を共有するために使用される。
【００５１】
前記Ｐ−ＣＣＰＣＨは、常にセルのプライマリスクランブルコードであるＰ−ＣＰＩＣＨ（Primary Common Pilot Channel）により使用される同一のスクランブルコードを使用して伝送される。前記Ｐ−ＣＣＰＣＨにより使用される拡散コードは、常に番号１であり、固定拡散率（SpreadingFactor; SF）２５６である。
【００５２】
ＵＥ１は前記プライマリスクランブルコードを知ることができる。ＵＥ１は、ＵＥがＤＣＣＨチャネルで受信したメッセージなどのように、ＵＥが読み込んだ隣接セルのシステム情報に関して前記ネットワークから伝送された情報により、前記プライマリスクランブルコードを知ることができる。一方、ＵＥ１は、前記固定ＳＦ２５６と前記拡散コード番号０を利用して伝送された固定パターンを常に伝送するＰ−ＣＰＩＣＨを検索することにより、前記プライマリスクランブルコードを知ることができる。
【００５３】
前記システム情報は、隣接セル、ＲＡＣＨ及びＦＡＣＨトランスポートチャネルの構成、並びにＭＢＭＳサービスのための専用チャネルであるＭＩＣＨ及びＭＣＣＨチャネルの構成に関する情報を含む。ＵＥ１がアイドルモードで位置するセルを変更する度に、又はＵＥがＣＥＬＬ＿ＦＡＣＨ、ＣＥＬＬ＿ＰＣＨ、もしくはＵＲＡ＿ＰＣＨ状態でセルを選択した場合、ＵＥ１はＵＥが有効なシステム情報を有しているか否かを確認する。
【００５４】
前記システム情報は、システム情報ブロック（ＳＩＢ）、マスタ情報ブロック（Master Information Block; MIB）、及びスケジューリングブロックから構成される。前記ＭＩＢは、非常に頻繁に伝送され、前記スケジューリングブロック及び様々な前記ＳＩＢのタイミング情報を提供する。
【００５５】
バリュータグ（valuetag）にリンクされているＳＩＢのために、前記ＭＩＢは、一部の前記ＳＩＢの最新バージョンに関する情報をも含む。バリュータグにリンクされているＳＩＢは、前記ＭＩＢからブロードキャストされるバリュータグと同一のバリュータグを有する場合にのみ有効である。バリュータグにリンクされていないＳＩＢは、期限タイマにリンクされ、無効となり、前記ＳＩＢの最新読み込み後の経過時間が前記期限タイマの値より大きい場合、再び読み込まなければならない。
【００５６】
各ブロックは、前記ＳＩＢがいずれのセルで有効であるかを示す有効性のエリア範囲（area scope of validity）（すなわち、Ｃｅｌｌ、ＰＬＭＮ、等価（equivalent）ＰＬＭＮ）を有する。エリア範囲「Ｃｅｌｌ」を有するＳＩＢは、ＳＩＢが読み込まれたセルに対してのみ有効である。エリア範囲「ＰＬＭＮ」を有するＳＩＢは、全てのＰＬＭＮで有効であり、エリア範囲「等価ＰＬＭＮ」を有するＳＩＢは、全てのＰＬＭＮと等価ＰＬＭＮで有効である。
【００５７】
一般に、ＵＥ１は、アイドルモード、ＣＥＬＬ＿ＦＡＣＨ状態、ＣＥＬＬ＿ＰＣＨ状態、又はＵＲＡ＿ＰＣＨ状態の場合、ＵＥが選択したセル又はＵＥが位置するセルのシステム情報を読み込む。前記システム情報において、ＵＥ１は、同一周波数、異なる周波数、及び様々な無線アクセス技術（Radio Access Technologies; RAT）で隣接セルに関する情報を受信する。これにより、ＵＥ１はいずれのセルがセル再選択のための候補セルであるかが分かる。
【００５８】
ＭＢＭＳは仕様のＲｅｌｅａｓｅ６（Ｒｅｌ−６）でＵＭＴＳ標準に取り入れられている。これは、１対多（Ｐ−Ｔ−Ｍ）伝送、１対多及び１対１（Ｐ−Ｔ−Ｐ）ベアラ間の選択的な組み合わせ（selective combining）及び伝送モードの選択（transmission mode selection）を含む、ＵＴＲＡにおけるＭＢＭＳベアラサービスの最適化した伝送のための技術を記述している。ＭＢＭＳベアラサービスの最適化した伝送は、同一のコンテンツが多数のユーザに伝送される場合に無線リソースを節約するために用いられ、テレビなどのサービスを可能にする。
【００５９】
ＭＢＭＳデータは、制御プレーン情報とユーザプレーン情報の２つのカテゴリーに分けられる。前記制御プレーン情報は、ＵＥ１がＭＢＭＳのためのＭＢＭＳベアラ特定制御情報（MBMS bearer specific control information）を受信できるようにするために伝送され、物理層構成、トランスポートチャネル構成、無線ベアラ設定、進行中のサービス、カウント情報、スケジューリング情報などに関する情報を含む。ＭＢＭＳベアラのユーザプレーンデータは、１つのＵＥ１にのみ伝送されるＰ−Ｔ−Ｐサービスのための専用トランスポートチャネルにマッピングすることもでき、同時に多数のユーザに送受信されるＰ−Ｔ−Ｍサービスのための共有トランスポートチャネルにマッピングすることもできる。
【００６０】
Ｐ−Ｔ−Ｐ伝送は、ネットワークとＲＲＣ接続モードのＵＥ１間で、ＭＢＭＳ特定制御及びユーザプレーン情報だけでなく、専用制御及びユーザプレーン情報を伝送するのに用いられる。Ｐ−Ｔ−Ｍは、ＭＢＭＳのマルチキャスト又はブロードキャストモードのために用いられる。ＤＴＣＨは、ＣＥＬＬ＿ＦＡＣＨ及びＣＥＬＬ＿ＤＣＨ状態のＵＥ１のために使用され、トランスポートチャネルに対する既存のマッピングを可能にする。
【００６１】
セルリソースを最適化した方式で使用するために、「カウント」機能がＭＢＭＳに導入された。図７に示すように、前記カウント手順は、所定のサービスの受信に関心のあるＵＥ１の数を判断するのに用いられる。図７はカウント手順の一般的な原理を示している。
【００６２】
所定のサービスに関心のあるＵＥ１は、ＭＢＭＳサービスの利用可能性に関する情報を受信する（Ｓ１０）。ＲＮＣ４は、ＵＥ１がＭＣＣＨチャネルで「アクセス情報」を送信することにより、同一の情報で前記サービスに対する関心をネットワークに示すべきことを、ＵＥ１に通知することができる。前記アクセス情報メッセージに含まれる確率係数（probability factor）は、関心のあるＵＥ１のみ所定の確率で応答させる。
【００６３】
ＵＥ１は、前記カウント情報を受信したセルでＲＲＣ接続設定メッセージ又はセルアップデートメッセージをＲＮＣ４に送信することにより、所定のサービスに関心があることをＲＮＣ４に通知する（Ｓ２０）。ＵＥ１は関心のあるサービスを示す識別子を含むことができる。
【００６４】
ネットワークが複数の周波数で動作する場合、１つの周波数に位置するＵＥ１は、異なる周波数で伝送されるＭＢＭＳサービスを認識できないこともある。従って、周波数コンバージェンス手順は、ＵＥ１が所定のサービスを第２周波数で利用できることを示す情報を第１周波数で受信できるようにする。
【００６５】
ＭＣＣＨ（MBMSpoint-to-multipoint Control Channel）は、ＲＮＣ４とＲＲＣ接続モード又はアイドルモードのＵＥ１間での制御プレーン情報のＰ−Ｔ−Ｍダウンリンク送信のために利用される。ＭＣＣＨでの制御プレーン情報は、ＭＢＭＳ専用（specific）であり、アクティブになったＭＢＭＳサービスを有するセルでＵＥ１に送信される。ＭＣＣＨは、ＣＥＬＬ＿ＦＡＣＨ状態にあるＵＥ１のＤＣＣＨを運ぶＳ−ＣＣＰＣＨ、独立型（standalone）Ｓ−ＣＣＰＣＨ、又はＭＴＣＨを有する同一のＳ−ＣＣＰＣＨで送信することができる。
【００６６】
前記ＭＣＣＨは、前記ＢＣＣＨに示されているように、前記Ｓ−ＣＣＰＣＨで１つの特定のＦＡＣＨに常にマッピングされる。ソフト組み合わせ（soft combination）が用いられる場合、前記ＭＣＣＨはＭＴＣＨとは異なるＳ−ＣＣＰＣＨ又はＴＤＤでのＣＣＴｒＣＨにマッピングされる。
【００６７】
ページング受信は、アイドルモード及びＵＲＡ／ＣＥＬＬ＿ＰＣＨ状態にあるＵＥ１のためのＭＣＣＨの受信に対して優先順位を有する。変更周期（modification period）や繰り返し周期（repetition period）など、ＭＣＣＨの構成は、ＢＣＣＨチャネルで送信されたシステム情報に示される。
【００６８】
ＭＴＣＨ（MBMSpoint-to-multipoint Traffic Channel）は、ネットワークとＲＲＣ接続モード又はアイドルモードのＵＥ１間でのユーザプレーン情報のＰ−Ｔ−Ｍダウンリンク送信のために利用される。ＭＴＣＨでのユーザプレーン情報は、ＭＢＭＳサービス専用であり、アクティブになったＭＢＭＳサービスを有するセルでＵＥ１に送信される。前記ＭＴＣＨは、前記ＭＣＣＨに示されているように、前記Ｓ−ＣＣＰＣＨで１つの特定のＦＡＣＨに常にマッピングされる。
【００６９】
ＭＳＣＨ（MBMSpoint-to-multipoint Scheduling Channel）は、ネットワークとＲＲＣ接続モード又はアイドルモードのＵＥ間でのＭＢＭＳサービス伝送スケジュールのＰ−Ｔ−Ｍダウンリンク送信のために利用される。ＭＳＣＨでの制御プレーン情報は、ＭＢＭＳサービス及びＳ−ＣＣＰＣＨ専用であり、ＭＴＣＨを受信するセルでＵＥに送信される。
【００７０】
１つのＭＳＣＨは、ＭＴＣＨを運ぶそれぞれのＳ−ＣＣＰＣＨで送信される。前記ＭＳＣＨは、前記ＭＣＣＨに示されているように、前記Ｓ−ＣＣＰＣＨで１つの特定のＦＡＣＨに常にマッピングされる。前記ＭＳＣＨは、様々なエラー要求事項（error requirements）により、ＭＴＣＨとは異なるＦＡＣＨにマッピングされる。
【００７１】
ＦＡＣＨは、ＭＴＣＨ、ＭＳＣＨ、及びＭＣＣＨのためのトランスポートチャネルとして利用される。ＳＣＣＰＣＨは、ＭＴＣＨ、ＭＣＣＨ、又はＭＳＣＨを運ぶＦＡＣＨのための物理チャネルとして利用される。
【００７２】
ダウンリンクでのみ存在する論理チャネルとトランスポートチャネル間の可能な接続には、ＭＣＣＨのＦＡＣＨへのマッピング、ＭＴＣＨのＦＡＣＨへのマッピング、及びＭＳＣＨのＦＡＣＨへのマッピングがある。ＵＥ１及びＵＴＲＡＮ２側からのマッピングを図８及び図９に示している。
【００７３】
ＵＭ−ＲＬＣモードは、非順次的（out of sequence）ＳＤＵ伝送をサポートするために必要な向上（enhancement）がなされてＦＡＣＨにマッピングされたＭＣＣＨのために利用される。ＭＡＣヘッダは論理チャネルタイプ識別のために利用される。
【００７４】
ＵＭ−ＲＬＣモードは、選択的な組み合わせをサポートするために必要な向上がなされてＦＡＣＨにマッピングされるＭＴＣＨのために利用される。速い繰り返し（quick repeat）がＲＬＣ−ＵＭで用いられる。ＭＡＣヘッダは論理チャネルタイプ識別及びＭＢＭＳサービス識別のために利用される。
【００７５】
ＵＭ−ＲＬＣモードは、ＦＡＣＨにマッピングされるＭＳＣＨのために利用される。ＭＡＣヘッダは論理チャネルタイプ識別のために利用される。
【００７６】
ＭＢＭＳ通知は、セルで新しいＭＢＭＳ専用（specific）ＰＩＣＨ、特にＭＢＭＳ通知インジケータチャネル（MBMS notification IndicatorChannel; MICH）を利用する。正確な符号化はＳｔａｇｅ−３物理層仕様で定義される。
【００７７】
ＭＣＣＨ情報は固定されたスケジュールに基づいて伝送される。このようなスケジュールは、ＭＣＣＨ情報の開始を含む、例えば複数のフレームなどの伝送時間間隔（Transmission Time Interval; TTI）を確認する。このような情報の伝送はＴＴＩの変数を有し、ＵＴＲＡＮ２は連続したＴＴＩでＭＣＣＨ情報を伝送すべきである。
【００７８】
ＵＥ１は、ＭＣＣＨ情報を全て受信するまで、ＭＣＣＨデータを全く含まないＴＴＩを受信するまで、又は所望のサービス情報の変更がないなど、情報内容の追加受信を必要としないことを示すまで、前記Ｓ−ＣＣＰＣＨを継続して受信する。このような動作に基づいて信頼性を向上させるために、ＵＴＲＡＮ２はスケジューリングされた伝送によるＭＣＣＨ情報を繰り返すことができる。前記ＭＣＣＨスケジュールは全てのサービスに共通する。
【００７９】
全てのＭＣＣＨ情報は「繰り返し周期」に基づいて周期的に伝送される。「変更周期」は「繰り返し周期」の整数倍（integer multiple）と定義される。前記ＭＢＭＳアクセス情報は「繰り返し周期」の整数ディバイダ（integerdivider）である「アクセス情報周期（access info period）」に基づいて周期的に伝送される。前記「繰り返し周期」及び「変更周期」の値は、ＭＢＭＳが伝送されたセルのシステム情報で提供される。
【００８０】
ＭＣＣＨ情報は、重要情報（critical information）と非重要情報（non-critical information）とに分けられる。重要情報は、ＭＢＭＳＮＥＩＧＨＢＯＵＲＩＮＧ ＣＥＬＬ ＩＮＦＯＲＭＡＴＩＯＮ、ＭＢＭＳ ＳＥＲＶＩＣＥ ＩＮＦＯＲＭＡＴＩＯＮ、及びＭＢＭＳ ＲＡＤＩＯ ＢＥＡＲＥＲ ＩＮＦＯＲＭＡＴＩＯＮを含む。非重要情報は、ＭＢＭＳＡＣＣＥＳＳ ＩＮＦＯＲＭＡＴＩＯＮに該当する。
【００８１】
重要情報の変更は変更周期の第１ＭＣＣＨ送信及び各変更周期の開始でのみ適用される。非重要情報の変更はいつでも可能である。
【００８２】
ＵＴＲＡＮ２は、ＭＣＣＨ情報が変更されたＭＢＭＳサービスＩＤを含むＭＢＭＳＣＨＡＮＧＥ ＩＮＦＯＲＭＡＴＩＯＮをその変更周期に伝送する。ＭＢＭＳ ＣＨＡＮＧＥ ＩＮＦＯＲＭＡＴＩＯＮは、前記変更周期の各繰り返し周期で少なくとも１回繰り返される。
【００８３】
図１０は、ＭＢＭＳ ＳＥＲＶＩＣＥ ＩＮＦＯＲＭＡＴＩＯＮ及びＲＡＤＩＯＢＥＡＲＥＲ ＩＮＦＯＲＭＡＴＩＯＮの伝送スケジュールを示している。図１０において、様々な陰影は潜在的に異なるＭＣＣＨコンテンツを示している。
【００８４】
異なるセル間に位置するＵＥ１は、同時に前記異なるセルから同一のＭＢＭＳサービスを受信することができ、図１１に示すように、カバレッジを増加させるために、前記受信した情報の組み合わせを実行することができる。ＵＥ１は、所定のアルゴリズムに基づいて、ＵＥが選択したセルから前記ＭＣＣＨを読み込む。
【００８５】
図１１に示すように、ＵＥ１は、関心のあるサービスに関する情報をＡ−Ｂなどの選択されたセルからＭＣＣＨで受信する。前記情報は、トランスポートチャネル、物理チャネルの構成、ＲＬＣ構成、及びＰＤＣＰ構成など、現在のセルに関するものである。また、前記情報は、セルＡ−Ａ及びＢなどの隣接セルに関するものである。特に、ＵＥ１はセルＡ−Ａ、Ａ−Ｂ、及びＢで関心のあるサービスを運ぶＭＴＣＨを受信するために必要な情報を受信することができる。
【００８６】
ＵＥ１は、同一のサービスが異なるセルで伝送される場合、異なるセルからサービスの組み合わせを実行することができることもあり、できないこともある。前記組み合わせは異なるレベルで行うことができるが、より明確には、組み合わせ不可能、ＲＬＣレベルでの選択的な組み合わせ、物理レベルでのＬ１組み合わせ、又はＭＢＭＳＰ−Ｔ−Ｍ伝送のための選択的な組み合わせ及びＬ１組み合わせが可能である。
【００８７】
ＲＬＣ ＰＤＵナンバリングは、ＭＢＭＳ Ｐ−Ｔ−Ｍ伝送のための選択的な組み合わせをサポートする。ＵＥ１における選択的な組み合わせは、ＭＢＭＳＰ−Ｔ−Ｍ伝送ストリーム間で非同期化がＵＥのＲＬＣ並び替え（re-ordering）能力より大きくない限り、類似したＭＢＭＳＲＢビットレートを提供するセルから可能である。従って、１つのＲＬＣエンティティがＵＥ１側に存在する。
【００８８】
ＣＲＮＣ４のセルグループでＰ−Ｔ−Ｍ伝送を用いるＭＢＭＳサービス当たり１つのＲＬＣエンティティが選択的な組み合わせのために存在する。同一のＣＲＮＣ４は前記セルグループの全てのセルを制御する。もし、ＭＢＭＳセルグループに属する隣接セルでＭＢＭＳ送信間に非同期化が発生した場合、ＣＲＮＣ４は、ＵＥ１が隣接セル間で選択的な組み合わせを実行できるようにする再同期化（re-synchronization）動作を行うことができる。
【００８９】
選択的な組み合わせ及びソフト組み合わせは、ＮｏｄｅＢ５がＴＤＤのために同期化されるときに用いることができる。前記ソフト組み合わせは、Ｎｏｄｅ Ｂ５がＦＤＤのためのＵＥ１のソフト組み合わせ受信ウィンドウ内で同期化され、前記ソフト組み合わせが実行されたＳ−ＣＣＰＣＨのデータフィールドがソフト組み合わせ周期で同一の場合に用いることができる。
【００９０】
ＵＴＲＡＮ２は、セル間の選択的な組み合わせ又はソフト組み合わせのために利用可能な隣接セルのＭＴＣＨ構成を含むＭＢＭＳＮＥＩＧＨＢＯＵＲＩＮＧ ＣＥＬＬ ＩＮＦＯＲＭＡＴＩＯＮを送信しなければならない。前記ＭＢＭＳ ＮＥＩＧＨＢＯＵＲＩＮＧ ＣＥＬＬ ＩＮＦＯＲＭＡＴＩＯＮはＬ１−組み合わせスケジュールを含むが、これは、部分的ソフト組み合わせが適用されるとき、ＵＥ１が隣接セルで送信されたＳ−ＣＣＰＣＨとサービングセルで送信されたＳ−ＣＣＰＣＨとのソフト組み合わせを実行できる時間周期（time period）を示す。ＵＥ１は、ＭＢＭＳ ＮＥＩＧＨＢＯＵＲＩＮＧ ＣＥＬＬ ＩＮＦＯＲＭＡＴＩＯＮを有する隣接セルのＭＣＣＨを受信することなく、隣接セルからＭＴＣＨ送信を受信することができる。
【００９１】
ＵＥ１は、測定されたＣＰＩＣＨ Ｅｃ／Ｎｏ及び隣接セルのＭＢＭＳＮＥＩＧＨＢＯＵＲＩＮＧ ＣＥＬＬ ＩＮＦＯＲＭＡＴＩＯＮの存在などの閾値に基づいて、選択的な組み合わせ又はソフト組み合わせに適した隣接セルを判断する。選択的な組み合わせ又はソフト組み合わせの実行可能性はＵＥ１にシグナリングされる。
【００９２】
一般に、ＵＥ１は、ＵＭＴＳ、ＣＤＭＡ２０００、ＥＶ−ＤＯ、ＧＳＭ、ＧＰＲＳ、ＥＤＧＥ、Ｗ−ＬＡＮ、及びブルートゥースなどのユニキャスト送信のための様々な無線技術を統合する。また、ＵＥ１は、ＦＤＤ又はＴＤＤのためのＭＢＭＳレシーバ、ＤＶＢ−Ｈ又はＤＭＢサービスなどのレシーバ機能を統合する。このような様々なサービスは異なる周波数帯域で動作する。
【００９３】
前記ＤＶＢ−Ｈ受信周波数帯域は４７０〜８６２ＭＨｚであるが、他の周波数帯域を排除するわけではない。前記ＤＡＢ−ＤＭＢ受信周波数帯域はチャネル番号４〜１１に対して１７４〜２３０ＭＨｚのＶＨＦ周波数帯域IIIであり、ＤＡＢ−ＤＭＢは１４５２〜１４９２ＭＨｚの範囲又はＬ帯域で実現することができる。
【００９４】
表Ｉ〜IIIはユニキャスト送信のために正常に利用される周波数帯域を示している。ここで、前記表は中心周波数（centerfrequency）ではない帯域の範囲（extent）を示している。他の周波数帯域が将来追加される可能性を考慮して、ＴＤＤ周波数をＭＢＭＳ及び／又はブロードキャスト伝送の収容（accommodate）に利用することが提案されている。
【００９５】
同時ユニキャスト送受信を行う装置は、スペクトルがブロードキャスト／マルチキャストサービスのために割り当てられた場合は考慮されていなかった。前記同時ユニキャスト及びブロードキャスト送受信は、専用ハードウェアの再使用及び無線回路の設計における非互換性（incompatibility）などの様々な理由により、ユニキャスト送信／受信とブロードキャスト受信間に衝突を起こすことがある。
【００９６】
例えば、９００又は８５０の周波数帯域がＧＳＭ信号の伝送のために利用される場合、７５０ＭＨｚ以上の周波数でＧＳＭ／ＥＤＧＥでの同時動作及びＤＶＢ−Ｈの受信をサポートするＵＥ１は実現しにくい。これは、前記送信されたＧＳＭ／ＥＤＧＥ信号がＵＥ１のアンテナに受信されたＤＶＢ−Ｈ信号よりはるかに強いため、前記受信された信号を干渉するからである。
【００９７】
他の例として、１９００〜１９２０ＭＨｚ ＴＤＤ周波数がＭＢＭＳ送信のために利用され、１９２０〜１９８０ＭＨｚでの同時ＦＤＤユニキャスト送信がアップリンクで行われる場合がある。ＵＥ１アップリンク送信はＵＥ受信を強く干渉するはずであり、統合されたＵＥ１においては事実上不可能である。
【００９８】
さらに他の例として、ＵＥ１がＭＢＭＳのための１つの周波数でＵＭＴＳの同時受信及びＵＭＴＳでのユニキャスト受信を行う場合がある。これは、ＵＥ１が２つのＵＭＴＳレシーバを実現しなければならないことを暗示し、従ってＧＳＭレシーバ又は他の追加レシーバは使用されないまま、ハンドセットコストを増加させる。
【００９９】
表Ｉ．ユニキャストＧＳＭ周波数帯域
【０１００】
【表１】
2010505329.tif 000003
表ＩＩ．ＦＤＤのためのユニキャストＵＭＴＳ周波数帯域
【０１０１】
【表２】
2010505329.tif 000004
表III．ＴＤＤのためのユニキャストＵＭＴＳ周波数帯域
【０１０２】
【表３】
2010505329.tif 000005
本発明の一態様においては、移動端末のネットワークとの通信方法を提供する。前記方法は、第１機能をアクティブにする段階と、アクティブになると前記第１機能と衝突する少なくとも１つの第２機能を判断する段階と、前記第１機能もしくは前記少なくとも１つの第２機能を第３機能で代替するか、又は前記第１機能を継続して実行するために、前記少なくとも１つの第２機能がアクティブになると前記第１機能と衝突するという指示をネットワークに提供する段階とを含み、前記第１機能及び前記少なくとも１つの第２機能が、異なる周波数帯域と異なる技術の少なくとも一方を利用することを特徴とする。
【０１０３】
前記方法は、現在実行されている機能を非アクティブにする段階と、前記第３機能を前記第１機能もしくは前記少なくとも１つの第２機能で代替するか、又は前記少なくとも１つの第２機能がアクティブになっても前記第１機能と衝突しないという指示を前記ネットワークに提供する段階とをさらに含むことができる。また、前記第３機能を前記第１機能もしくは前記少なくとも１つの第２機能で代替する段階は、前記機能が変更されるように、少なくとも１つのパラメータを前記ネットワークに送信する段階を含むことができる。
【０１０４】
前記方法は、前記少なくとも１つの第２機能のアクティブ化を禁止する段階をさらに含むことができる。また、前記少なくとも１つの第２機能のアクティブ化を禁止する段階は、前記少なくとも１つの第２機能を利用できないという指示を前記ネットワークに提供する段階を含むことができる。
【０１０５】
前記方法は、現在実行されている機能を非アクティブにする段階と、前記少なくとも１つの第２機能のアクティブ化をもはや禁止しない段階とをさらに含むことができる。また、前記少なくとも１つの第２機能のアクティブ化をもはや禁止しない段階は、前記少なくとも１つの第２機能を利用できるという指示を前記ネットワークに提供する段階を含むことができる。
【０１０６】
前記第１機能もしくは前記少なくとも１つの第２機能を第３機能で代替する段階、並びに前記少なくとも１つの第２機能のアクティブ化を禁止する段階は、予め定められた規則を条件とすることができる。また、前記予め定められた規則は、前記ネットワークから受信した情報によって実現することができる。
【０１０７】
前記第１機能もしくは前記少なくとも１つの第２機能を第３機能で代替する段階は、少なくとも１つのパラメータを前記ネットワークに送信する段階を含み、前記パラメータは、特に前記機能が変更されるようにするためのものであってもよい。また、前記方法は、前記判断された衝突に関する情報を前記ネットワークに提供する段階をさらに含むことができる。前記方法は、前記ネットワークとの通信が成立すると、衝突する機能の指示を前記ネットワークに提供する段階をさらに含むことが好ましい。
【０１０８】
本発明の他の態様においては、ネットワークの移動端末との通信方法を提供する。前記方法は、少なくとも１つの機能がアクティブになると他の機能と衝突するという指示を前記移動端末から受信する段階と、前記少なくとも１つの機能のアクティブ化を禁止する段階とを含み、前記第１機能及び前記少なくとも１つの第２機能が、異なる周波数帯域と異なる技術の少なくとも一方を利用することを特徴とする。前記方法は、判断された少なくとも２つのアクティブになった機能間の衝突に関する情報を前記移動端末から受信する段階と、前記衝突する機能の１つを実行するために、前記移動端末が異なる周波数帯域と異なる技術のどちらかを利用するように命令（direct）する段階とをさらに含むことが好ましい。
【０１０９】
本発明のさらに他の態様においては、通信サービスを提供する移動端末を提供する。前記移動端末は、前記移動端末が実行する機能に関する情報をネットワークとやりとりする送受信部と、ユーザインタフェース情報を表示するディスプレイ部と、ユーザからの入力を受信する入力部と、第１機能をアクティブにし、アクティブになると前記第１機能と衝突する少なくとも１つの第２機能を判断し、前記第１機能もしくは前記少なくとも１つの第２機能を第３機能で代替するか、又は前記第１機能を継続して実行するために、前記少なくとも１つの第２機能がアクティブになると前記第１機能と衝突するという指示を前記ネットワークに提供する処理部とを含み、前記第１機能及び前記少なくとも１つの第２機能が、異なる周波数帯域と異なる技術の少なくとも一方を利用することを特徴とする。
【０１１０】
前記処理部は、現在実行されている機能を非アクティブにし、前記第３機能を前記第１機能もしくは前記少なくとも１つの第２機能で代替するか、又は前記少なくとも１つの第２機能がアクティブになっても前記第１機能と衝突しないという指示を前記ネットワークに提供することができる。また、前記処理部は、前記機能が変更されるように少なくとも１つのパラメータを前記ネットワークに送信するために、前記送受信部を制御することにより、前記第３機能を前記第１機能もしくは前記少なくとも１つの第２機能で代替することができる。
【０１１１】
また、前記処理部は、前記少なくとも１つの第２機能のアクティブ化を禁止することができる。前記処理部は、前記少なくとも１つの第２機能を利用できないという指示を前記ネットワークに送信するために、前記送受信部を制御することにより、前記少なくとも１つの第２機能のアクティブ化を禁止することができる。
【０１１２】
また、前記処理部は、現在実行されている機能を非アクティブにし、前記少なくとも１つの第２機能のアクティブ化をもはや禁止しないようにすることもある。前記処理部は、前記少なくとも１つの第２機能を利用できるという指示を前記ネットワークに送信するために、前記送受信部を制御することにより、前記少なくとも１つの第２機能のアクティブ化をもはや禁止しないようにすることもある。
【０１１３】
また、前記処理部は、前記第１機能もしくは前記少なくとも１つの第２機能を前記第３機能で代替し、予め定められた規則によって前記少なくとも１つの第２機能のアクティブ化を禁止することができる。さらに、前記処理部は、前記ネットワークから受信した情報によって前記予め定められた規則を実現することができる。
【０１１４】
前記処理部は、特に前記機能が変更されるようにするための少なくとも１つのパラメータを前記ネットワークに送信するために、前記送受信部を制御することにより、前記第１機能もしくは前記少なくとも１つの第２機能を前記第３機能で代替することができる。また、前記処理部は、前記判断された衝突に関する情報を前記ネットワークに送信するために、前記送受信部を制御することができる。前記処理部は、前記ネットワークとの通信が成立すると、衝突する機能の指示を前記ネットワークに送信するために、前記送受信部を制御することが好ましい。
【０１１５】
本発明のさらに他の態様においては、移動端末と通信するネットワークを提供する。前記ネットワークは、少なくとも１つの機能がアクティブになると他の機能と衝突するという指示を移動端末から受信するレシーバと、前記少なくとも１つの機能のアクティブ化を禁止する制御部とを含み、前記第１機能及び前記少なくとも１つの第２機能が、異なる周波数帯域と異なる技術の少なくとも一方を利用することを特徴とする。前記レシーバは、判断された少なくとも２つのアクティブになった機能間の衝突に関する情報を前記移動端末から受信し、前記制御部は、前記衝突する機能の１つを実行するために、前記移動端末が異なる周波数帯域と異なる技術のどちらかを利用するように命令することが好ましい。
【０１１６】
本発明のさらなる特性及び利点は後述する発明の詳細な説明に記述されるが、一部はその詳細な説明から明らかになるか、又は本発明の実施により理解されるであろう。本発明の上述した一般的な記載及び後述する詳細な記載は例示的なものであり、請求の範囲に記載の本発明を具体的に説明するためのものである。
【０１１７】
上記及びその他の実施形態は添付図面を参照した本実施形態の後述する詳細な説明から当業者に明らかになり、本発明は開示されたいずれの特定実施形態にも限定されない。
【０１１８】
本発明の理解を助けるために含まれ、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【図面の簡単な説明】
【０１１９】
【図１】図１はネットワーク構成要素を示す図である。
【図２】図２はＲＡＮ機能を示す図である。
【図３】図３は論理チャネルを示す図である。
【図４】図４はＵＥの観点から論理チャネルのトランスポートチャネルへのマッピングを示す図である。
【図５】図５はＵＴＲＡＮの観点から論理チャネルのトランスポートチャネルへのマッピングを示す図である。
【図６】図６は状態変化を示す図である。
【図７】図７はカウント手順を示す図である。
【図８】図８はＵＥの観点から論理チャネルのＦＡＣＨへのマッピングを示す図である。
【図９】図９はＵＴＲＡＮの観点から論理チャネルのＦＡＣＨへのマッピングを示す図である。
【図１０】図１０はＭＣＣＨ情報スケジュールを示す図である。
【図１１】図１１は複数のセルからＭＢＭＳを受信するＵＥを示す図である。
【図１２】図１２は衝突する技術／周波数帯域のアクティブ化及び非アクティブ化の一般的な原理を示す図である。
【図１３】図１３はＵＥ制御移動性（UE controlled mobility）を有する技術／周波数帯域のアクティブ化及び非アクティブ化を示す図である。
【図１４】図１４はネットワーク制御移動性（network controlled mobility）を有する技術／周波数帯域のアクティブ化及び非アクティブ化の第１アプローチを示す図である。
【図１５】図１５はネットワーク制御移動性を有するフェイク測定（fake measurements）による技術／周波数帯域のアクティブ化及び非アクティブ化を示す図である。
【図１６】図１６はネットワーク制御移動性を有する技術／周波数帯域のアクティブ化及び非アクティブ化の第２アプローチを示す図である。
【図１７】図１７は移動局（Mobile Station; MS）又はＵＥのブロック図である。
【発明を実施するための形態】
【０１２０】
以下、本発明の好ましい実施形態について添付図面を参照して詳細に説明する。本発明は、ＵＥがブロードキャスト／マルチキャスト／ユニキャストサービスの受信のための技術を選択し、他のサービスの受信を干渉し得る特定の周波数帯域で１つ又は複数の特定の技術の利用を抑制する（disable）ことを提案する。
【０１２１】
例えば、ブロードキャスト／ＭＢＭＳサービスが既に選択された場合、ユニキャストサービスの利用は制限されることもあり、その逆もある。これは、近年、ほとんどのオペレータは利用可能な異なるネットワークを有し、かつ／又は多少異なるＱｏＳを有するが同一のユニキャストサービスを提供する異なる周波数帯域でサービスを提供するので可能である。
【０１２２】
第１例として、音声又はデータを同時に受信しながらＵＭＴＳブロードキャスト又はＭＢＭＳサービスの受信を開始するＵＥ１を考慮する。ＵＥ１は、ユニキャストサービスのためにＵＭＴＳを利用する能力（キャパシティ）を抑制してＧＳＭの受信に切り替えるか、又は特定の周波数帯域でＵＭＴＳサービスを抑制することができる。
【０１２３】
第２例として、特定の帯域でＤＶＢ−Ｈサービスを受信するＵＥ１を考慮する。ＵＥ１は、ＧＳＭサービスのサポートを抑制し、ＵＭＴＳ技術又はＣＤＭＡ技術でのみサービスを継続することもでき、ＤＶＢ−Ｈサービスを干渉する特定の周波数帯域でＧＳＭサービスのためのサポートを抑制することもできる。
【０１２４】
第３例として、ＵＭＴＳでＭＢＭＳサービスの受信を開始するＵＥ１を考慮する。ＵＥ１は、特にサービスの伝送のためにＴＤＤスペクトル１９００〜１９２０ＭＨｚが利用される場合、ＭＢＭＳでユニキャストサービスを受信する能力を抑制することもでき、また前記ＵＥは、隣接する周波数帯域でＵＭＴＳのためのサポートを抑制することもできる。
【０１２５】
第４例として、ブロードキャストが現在の３ＧＰＰ ＬＴＥ標準のためにアクティブになったと考慮する。すると、ＬＴＥのためのユニキャスト受信は抑制される。
【０１２６】
以上の例はユニキャストサービスがＭＢＭＳ／ブロードキャストサービスと衝突すると仮定している。しかし、本発明は、衝突するサービスのいずれの組み合わせにも適用できる。図１２は本発明の原理を示している。
【０１２７】
能力の抑制は、ＵＥ１がＵＭＴＳのためのＲＲＣ接続モードでない場合のように、接続状態でない場合、ＵＥで局所的に行うことができる。ＵＥ１は、ＧＳＭとＵＭＴＳの両方とも可能な場合の代わりに、ＧＳＭのみ可能な場合又はＵＭＴＳのみ可能な場合などの新しい能力を考慮して、該当技術のセルに再選択を行うことにより、異なる技術の２つのセル間での正常な再選択の過程と同一の過程を効果的に行うことができる。
【０１２８】
ＵＥ１はＵＥの能力をネットワークに予め伝送してネットワークに保存させることができる。従って、前記ＵＥは、ＵＥが抑制されたネットワーク及び／又は周波数帯域をサポートしなくなったことを前記ネットワークに通知する必要がある。これは、ＵＥ１が以前にサポートされた技術及び／又は周波数帯域から１つのセルにスイッチングした後に行われることが好ましい。
【０１２９】
ＵＥ１は、マルチキャスト／ブロードキャストの受信が完了した後、ＵＥの能力を再びアップデートする。このようなアップデートは以前に抑制された衝突技術及び／又は周波数帯域の利用を再び可能にする。
【０１３０】
このような原理は、ＵＥ１がＲＲＣ接続モードにある場合のように、ＵＥがシステムに接続されており、かつ技術及び／又は周波数帯域のサポートを抑制するとき、より複雑になる。２つの状況を考えることができる。一方はＵＥ１移動性がＵＥ制御（UE controlled）の場合であり、他方はＵＥ移動性がネットワーク制御（network controlled）の場合である。
【０１３１】
ＵＥ１は、図１３に示すように、ＵＥ移動性がＵＥ制御の場合、どのセル／周波数／技術を選択するかを判断する。前記判断はネットワークから受信したＵＥ１測定及び規則に基づいて行われる（Ｓ１００）。
【０１３２】
最上のセル／周波数／技術の判断は、ＵＥ１がアイドルモードにあるか又はネットワークに接続されていない場合と類似している。前記ＵＥがＭＢＭＳ又はブロードキャスト周波数を受信するとき、技術／周波数帯域の選択を考慮するために、追加規則又は新しい規則をＵＥ１に提供することができる（Ｓ１１０）。
【０１３３】
ＵＥ１が衝突を起こすサービスを開始した後（Ｓ１２０）、一般に前記ＵＥは、最上のセルを判断するために、異なるセルの測定及びランキングを行い、最上級のセルを選択する（Ｓ１３０）。ＵＥ１は、衝突する技術／周波数帯域を抑制し、衝突しない技術／周波数帯域に変更する（Ｓ１４０）。ＵＥ１は、前記衝突する技術／周波数帯域を抑制するために、ＵＥのアップデートされた能力を前記ネットワークに示すことができる（Ｓ１５０）。
【０１３４】
ＵＥ１は、ブロードキャスト及び／又はＭＢＭＳサービスの受信が行われているとき、衝突しないセルを再選択するためにセルの測定にオフセットを追加することができる。前記オフセットは、システム情報によりブロードキャストするか、ＭＢＭＳ／ブロードキャスト制御情報と共にブロードキャストするか、又は前記付加情報の一部として専用方式（dedicated manner）で送信することができる。
【０１３５】
図１４に示すように、ＵＥ移動性がネットワークにより制御される場合、ＵＥ１はＭＢＭＳ／ブロードキャストサービスを受信するために特定の周波数及び／又は技術のための特定のユニキャストサービスを同時に利用できないことを、前記ネットワークに知らせなければならない。これは、ＵＥがＭＢＭＳ／ブロードキャストサービスの受信を開始するとき、又は衝突を起こすユニキャストサービスの送信を開始するとき（Ｓ２００）、前記衝突を前記ネットワークに通知するＵＥ１により行うことができる（Ｓ２１０）。
【０１３６】
前記ネットワークは、衝突する技術／周波数帯域を排除するために、ＵＥ１能力をアップデートするか（Ｓ２２０）、又は前記ＵＥを衝突のないネットワーク／周波数にリダイレクトする（Ｓ２３０）などの適切な動作をすることができる。
【０１３７】
ＵＥ１は、衝突するＭＢＭＳ／ブロードキャスト受信又はユニキャスト送信が完了した場合（Ｓ２４０）、ＵＥの能力を再びアップデートすることができる（Ｓ２５０）。新しい能力の観点から、前記ネットワークは前記ＵＥを異なる周波数／技術にリダイレクトすることができる（Ｓ２６０）。
【０１３８】
図１５に示すように、他の技術／周波数帯域にハンドオーバーをトリガするために、ＵＥ１は、フェイク測定をネットワークに示すことにより、前記ネットワーク上での衝撃を減少させる（Ｓ２１５）ことができる。これは、例えばＵＥ１移動性がＵＥ制御の場合と類似した方式で、１つの技術の測定された品質にオフセットを追加することにより達成することができる。オフセットは隣接セル／周波数又は技術毎にＵＥ１に示され、ＭＢＭＳ受信がアクティブになると、ＵＥが前記オフセットを適用できるようにする。
【０１３９】
また、図１６に示すように、接続が成立する（Ｓ２００）前に、ＵＥ１は、潜在的に衝突するサービス／技術／周波数帯域を示す（Ｓ１９５）ことができる。前記ネットワークは、ＵＥ１がＭＢＭＳ／ブロードキャストセッションの受信をいつ開始するかさえ知らせられれば（Ｓ２１７）、ユニキャストサービスが開始するとき、ＵＥ１を他の周波数／技術に自動でリダイレクト（Ｓ２６０）することができる。
【０１４０】
図１７は移動局又はＵＥ１のブロック図である。ＵＥ１は、プロセッサ（又は、デジタル信号プロセッサ）３１０、ＲＦモジュール３３５、電力管理モジュール３０５、アンテナ３４０、バッテリ３５５、ディスプレイ３１５、キーパッド３２０、メモリ３３０、（オプションとして）ＳＩＭ（Subscriber Identity Module）カード３２５、スピーカ３４５、及びマイク３５０を含む。
【０１４１】
ユーザは、例えばキーパッド３２０のボタンを押すか、又はマイク３５０を利用した音声駆動を行うことにより、電話番号などの指示情報（instructional information）を入力する。マイクロプロセッサ３１０は、前記電話番号に電話をかけるなどの適切な機能を実行するために、前記指示情報を受信して処理する。前記機能を実行するために、ＳＩＭカード３２５又はメモリモジュール３３０から動作データ（operationaldata）を検索することができる。また、プロセッサ３１０は、ユーザの参照と便宜のために、前記指示及び動作情報をディスプレイ３１５に表示することができる。
【０１４２】
プロセッサ３１０は、通信を開始するように、例えば音声通信データを含む無線信号を送信するために、ＲＦモジュール３３５に指示情報を出す。ＲＦモジュール３３５は、無線信号を送受信するために、トランスミッタとレシーバとを含む。アンテナ３４０は無線信号の送受信を容易にする。ＲＦモジュール３３５は、無線信号を受信すると、前記信号をベースバンド周波数に変換し、プロセッサ３１０の処理のためにプロセッサ３１０に伝達することができる。前記処理された信号は、例えばスピーカ３４５から出力された可聴又は可読情報に変換することができる。プロセッサ３１０は、本明細書に説明された様々な処理の実行に必要なプロトコル及び機能を含むことができる。
【０１４３】
本発明は、ネットワークがユニキャスト及び／又はブロードキャスト／マルチキャストサービスを提供し、端末が技術及び／又は周波数帯域の特定の組み合わせにより２つのサービスを同時に受信できない場合、前記ネットワーク及び／又は前記端末に適用することができる。ＨＳＤＰＡやＨＳＵＰＡなどの全ての機能（functionality）が抑制された場合より、前記ネットワークに及ぼす影響が少ないことに本発明の利点がある。
【０１４４】
しかし、前記ネットワークは、図１５に示すように、偏った測定（biased measurements）が伝送されると、ＵＥ１がハンドオーバーをトリガしなければならない理由を知らないこともあり、ネットワークリソース管理能力が低下することもある。前記ネットワークは、技術がアップデートされると、技術間でリソースをよりよく制御することができるが、一部の別途の機能を実現しなければならない。
【０１４５】
前述した実施形態と利点は単なる例示にすぎず、本発明を制限するものではない。本発明は他のタイプの装置にも適用することができる。
【０１４６】
本発明の詳細な説明は単なる説明の便宜のためのものであり、請求の範囲を制限するものではない。当該技術分野における通常の知識を有する者であればこれらの多様な代替、変更、変形が可能であることが明らかであろう。請求の範囲におけるミーンズプラスファンクションクレーム(means-plus-function clauses)はその説明された機能を実行する、ここに記載された構成（structure）及び構造的同等物並びに均等な構造をも含む。
【図１】
2010505329.tif 000006
【図２】
2010505329.tif 000007
【図３】
2010505329.tif 000008
【図４】
2010505329.tif 000009
【図５】
2010505329.tif 000010
【図６】
2010505329.tif 000011
【図７】
2010505329.tif 000012
【図８】
2010505329.tif 000013
【図９】
2010505329.tif 000014
【図１０】
2010505329.tif 000015
【図１１】
2010505329.tif 000016
【図１２】
2010505329.tif 000017
【図１３】
2010505329.tif 000018
【図１４】
2010505329.tif 000019
【図１５】
2010505329.tif 000020
【図１６】
2010505329.tif 000021
【図１７】
2010505329.tif 000022
【国際調査報告】
2010505329.tif 000023
2010505329.tif 000024